(57)【要約】【課題】立体的形状で嵩張り、且つ重量の大きい土木用ブロックの積み重ねに不慣れな通常の作業員にでも容易且つ正確に所望の積み重ね角度に積み重ねができる、作業性の良い土木用ブロックを提供する。【解決手段】天板部２と底板部３と支持部４を有する土木用ブロック１であって、天板部２と底板部３には、上下に積み重ねた当該土木用ブロック１を結合させるための係合構造５が設けられ、前記係合構造５は係合突起５ａと、前後方向に延伸された摺動溝５ｂからなることを特徴とする土木用ブロック１である。【選択図】図１
2013104190.tif 000002
【特許請求の範囲】
【請求項１】
天板部と底板部と支持部を有する土木用ブロックであって、
天板部と底板部には、上下に積み重ねた当該土木用ブロックを結合させるための係合構造が設けられ、
前記係合構造は係合突起と、前後方向に延伸された摺動溝からなることを特徴とする土木用ブロック。
【請求項２】
摺動溝の所定の位置には係合用深部が設けられていることを特徴とする請求項１に記載の土木用ブロック。
【請求項３】
摺動溝は所定の位置で枝溝に分岐されており、枝溝に係合用深部が設けられていることを特徴とする請求項１に記載の土木用ブロック。
【請求項４】
天板部と底板部にはそれぞれ貫通孔が設けられ、
それぞれの貫通孔は、係合突起と係合用深部が係合したときに連通する位置に穿設されていることを特徴とする請求項２又は３に記載の土木用ブロック。
【請求項５】
底板部が天板部よりも長く形成されていることを特徴とする請求項１乃至４のいずれかに記載の土木用ブロック。
【請求項６】
土木用ブロック内部に太陽電池パネルが収容されていることを特徴とする請求項１乃至５のいずれかに記載の土木用ブロック。
【請求項７】
太陽電池パネルが上下及び／又は左右に傾斜角度を調整可能であることを特徴とする請求項６に記載の土木用ブロック。
【発明の詳細な説明】
【技術分野】
【０００１】
本発明は、擁壁等に用いられる立体的形状の土木用ブロックに係り、更に詳しくは、作業性がよく、熟練工ではない通常の作業員でも容易且つ正確に所望の積み重ね角度で積み重ねることができる立体的形状の土木用ブロックに関する。
【背景技術】
【０００２】
従来より、切り土や盛り土に際し、土圧に対抗し土の崩壊を防ぐために広く擁壁が構築されている。近年では、擁壁を構築するための土木用ブロックとして道路に面する山や土手、河川の堤防等の斜面（法面）を有効に使用するため、例えば太陽光発電等の機能を有する土木用ブロックも用いられている（例えば、特許文献１参照）。
【０００３】
上記のような、斜面保護以外の機能を併せ持つ土木用ブロックは、通常、コンクリート製であり、当該土木用ブロックの機能を発揮させるためには、幅が広く、高さが高く、奥行きが深い立体的な形状になる傾向がある。また、斜面（法面）に使用するためには、当該土木用ブロックを所定の積み重ね角度に設置する必要がある場合も多い。このような立体的形状で嵩が大きく、且つ重量の大きい土木用ブロックを所定の角度に合わせて積み上げるためには、下側に設置された土木用ブロックの上に、所定の距離だけずらして別の土木用ブロックが載置積層される。
しかしながら、足場の悪い斜面（法面）において、上側の土木用ブロックを所定の位置に積み重ねる作業は、熟練工にとっても容易ではなく、ましてや熟練工でない通常の作業員には尚更困難である。
【０００４】
熟練工でない通常の作業員でも所定の位置に短時間で土木用ブロックを積み重ねるための技術としては、上部に係合突起を設け、底面に前記係合突起と係合する係合凹部が設けられた土木用ブロック（例えば、特許文献２参照）が知られている。このような土木用ブロックでは、設けられた係合突起と係合凹部に応じた一種類の積み重ね角度で土木用ブロックを積み重ねることになる。
しかしながら、土木用ブロックで保護すべき斜面の勾配は一定ではないため、一種類の積み重ね角度でしか積み重ねできないような土木用ブロックでは、斜面の勾配に応じた多種多様な土木用ブロックを用意する必要があり、コスト的に極めて不経済である。
【先行技術文献】
【特許文献】
【０００５】
【特許文献１】特開２０１１−１９６０１６号公報
【特許文献２】特開２０１１−４７１９０号公報
【発明の概要】
【発明が解決しようとする課題】
【０００６】
本発明は、上記実情に鑑みてなされたものであって、立体的な形状からなり、嵩張り且つ重量の大きい土木用ブロックを、熟練工でない通常の作業員でも、容易且つに正確に位置決めすることができ、所望の積み重ね角度に積み重ねることができる土木用ブロックを提供することを目的とする。
【課題を解決するための手段】
【０００７】
上記目的を達成するために、本発明の特徴の第１は、天板部と底板部と支持部を有する土木用ブロックであって、天板部と底板部には、上下に積み重ねた当該土木用ブロックを結合させるための係合構造が設けられ、前記係合構造は係合突起と、前後方向に延伸された摺動溝からなる土木用ブロックを内容とする。
【０００８】
本発明の特徴の第２は、摺動溝の所定の位置には係合用深部が設けられている上記の土木用ブロックを内容とする。
【０００９】
本発明の特徴の第３は、摺動溝は所定の位置で枝溝に分岐されており、枝溝に係合用深部が設けられている上記の土木用ブロックを内容とする。
【００１０】
本発明の特徴の第４は、天板部と底板部にはそれぞれ貫通孔が設けられ、それぞれの貫通孔は、係合突起と係合用深部が係合したときに連通する位置に穿設されている上記の土木用ブロックを内容とする。
【００１１】
本発明の特徴の第５は、底板部が天板部よりも長く形成されている上記の土木用ブロックを内容とする。
【００１２】
本発明の特徴の第６は、土木用ブロック内部に太陽電池パネルが収容されている上記の土木用ブロックを内容とする。
【００１３】
本発明の特徴の第７は、太陽電池パネルが上下及び／又は左右に傾斜角度を調整可能である上記の土木用ブロックを内容とする。
【発明の効果】
【００１４】
本発明の土木用ブロックは、係合構造が係合突起と前後方向に延伸された摺動溝からなるので、上下に積み重ねた土木ブロックを容易に摺動させることができるので、熟練工ではない通常の作業員でも、容易且つ正確に位置決めをすることができ、所望の積み重ね角度に積み重ねることができる。
【００１５】
摺動溝の所定の位置に係合用深部を設ければ、予め定められた位置で該係合用深部に係合突起を係合させることにより静止結合できるので、土木用ブロックを所定の勾配で積み重ねるのが容易になる。また、枝溝を設け、この枝溝に係合用深部を設ければ、係合突起を奥側の係合用深部に係合させる際、途中で手前側の係合用深部と係合して摺動させにくくなる不都合を防止させることができる。
【００１６】
係合突起と係合用深部が係合したときに連通する貫通孔を天板部と底板部に設ければ、ボルト、ビス等により上下に積み重ねた土木用ブロックを連結しやすくなり、強固な擁壁を構築することができる。
【図面の簡単な説明】
【００１７】
【図１】図１は本発明の土木用ブロックの一例を示す側面図である。
【図２】図２は図１の正面図である。
【図３】図３は本発明の土木用ブロックの別例を示す側面図である。
【図４】図４は本発明の土木用ブロックにおける摺動溝の一例を示す平面図である。
【図５】図５は図４の摺動溝を有する土木用ブロックが積み重ねられた状態を示す概略説明図である。
【図６】図６（ａ）は本発明の土木用ブロックの係合構造の一例を示す平面図であり、（ｂ）は（ａ）におけるａ−ａ断面図である。
【図７】図７は本発明の土木用ブロックの更に別の例を示す平面図である。
【図８】図８は図７の底面図である。
【図９】図９は本発明の土木用ブロックの更に別の例を示す平面図である。
【図１０】図１０は図９の底面図である。
【図１１】図１１は図９の正面図である。
【図１２】図１２は本発明の土木用ブロック内部に太陽電池パネルを収容した例を示す側面図である。
【図１３】図１３は本発明の土木用ブロック内部に太陽電池パネルを左右に傾斜角度を調整可能に収容した例を示す平面図である。
【図１４】図１４は本発明の土木用ブロック内部に太陽電池パネルを上下に傾斜角度を調整可能に収容した例を示す側面図である。
【図１５】図１５は斜面（法面）に本発明の土木用ブロックを積み上げた例を示す概略図である。
【図１６】図１６は斜面（法面）に本発明の土木用ブロックを積み上げた他の例を示す概略図である。
【発明を実施するための形態】
【００１８】
本発明の土木用ブロックは、図１及び図２に示すように、天板部２と底板部３と支持部４を有しており、天板部２と底板部３には、上下に積み重ねた当該土木用ブロック１を結合させるための係合構造５が設けられ、前記係合構造５は係合突起５ａと、前後方向に延伸された摺動溝５ｂからなることを特徴とする。
【００１９】
本発明において天板部２とは、立体的な形状の土木用ブロック１の最上部に配置される部分であって、その上側に別個の土木用ブロック１が載置される部分である。その形状は上部に土木用ブロック１を載置出来る程度の強度を有する形状である限り特に限定されないが、図１及び図２に示した例では、天板部２の形状として平面視矩形の平板状が採用されている。
【００２０】
本発明において底板部３とは、立体的な形状の土木用ブロック１の最下部に配置される部分である。その形状は、上記した天板部２と同様、特に限定されないが、図１及び図２に示した例では、上記天板部２と同様、平板状が採用されている。底板部３は、下部土木用ブロック１の天板部２の上面を摺動させ該天板２よりも引き出して所望の積み重ね角度とするため、天板部２よりも大きく形成するほうが好ましい。また、太陽電池パネルを収容する場合、傾斜した状態で収容して太陽光の利用効率を高めることが容易である。
【００２１】
本発明において支持部４とは、上記した底板部３から立設されて天板部２を支持する部分である。その形状は天板部２を支持し得る形状であれば特に限定されないが、図１及び図２に示したように、後端付近に立設される板状とすれば、コ字状の土木用ブロックが形成され、単に土圧に対抗して土砂崩れを防ぐだけでなく、土木用ブロック１の内部に大きなスペースを確保でき、太陽電池パネル等の別途の機能を有する構造体を容易に収納できるので好ましい。
。
【００２２】
本発明の土木用ブロック１は、天板部２と底板部３に係合構造５を有している。係合構造５は当該土木用ブロック１を積み重ねる際に、上下の土木用ブロック１を結合させるための構造であり、係合突起５ａと摺動溝５ｂからなる。なお、図１及び図２に示した例では、天板部２側に摺動溝５ｂが設けられ、底板部３側に係合突起５ａが設けられているが、これに限定されず、図３に示したように、天板部２側に係合突起５ａを設け、底板部３側に摺動溝５ｂを設けるようにしてもよい。
【００２３】
摺動溝５ｂは、係合突起５ａが設けられた土木用ブロック１を前後方向に摺動させることができるように、前後方向に延伸された形状とされている。
係合突起５ａの形状は、前記摺動溝５ｂのなかで摺動可能な形状である限り、特に限定されないが、例えば半球状、半円柱状等のように、先端部が丸まった形状が好ましく使用される。係合突起５ａの突出高さは、摺動溝５ｂの深さよりも僅かに大きくすることが必要で、このように構成することにより、係合突起５ａと摺動溝５ｂとが接した状態で摺動されるので、摺動作業が容易である。
【００２４】
係合突起５ａとして前後方向に短い形状（図１〜図３の例では半球状）のものを使用した場合、図４に示したように、摺動溝５ｂの所定の部分に係合用深部５ｂ１を設ければ、図５に示したように、係合突起５ａと係合用深部５ｂ１が係合して、所定の積み重ね角度αで上下の土木用ブロック１を結合させやすくなる。
即ち、摺動溝５ｂ内における係合突起５ａの位置によって、上下に積み重ねられた土木用ブロック１の積み重ね角度αは異なるが、図４に示すように、係合用深部５ｂ１が複数（図４の場合は４箇所）ある土木用ブロック１の場合、係合用深部５ｂ１の位置に対応する複数の積み重ね角度α（例えば、７６°、７０°、６３°、５６°）のうち、構築しようとする擁壁の角度に応じた係合用深部５ｂ１内に係合突起５ａを係合させることにより、所定の積み重ね角度αで土木用ブロック１を積み上げることが出来る。
従って、多数の土木用ブロック１を並べた場合、左右に並んだ土木用ブロック１の積み重ね角度αを全て揃えることができるので、擁壁の仕上がりが綺麗になる。
【００２５】
係合用深部５ｂ１を設ける場合、摺動溝５ｂの係合用深部５ｂ１以外の部分の深さは係合突起５ａの突出高さよりも浅くし摺動を容易とする必要があるが、係合用深部５ｂ１の深さは係合突起５ａの突出高さよりも深く形成することが望ましい。係合用深部５ｂ１の深さが係合突起５ａの突出高さよりも浅い場合、上下に積み重ねた土木用ブロック１の間に隙間ができるので、場合によっては漆喰等の充填材で隙間を埋める必要が生じる。
【００２６】
なお、上記の様な土木用ブロック１を積み重ねる際、まず係合突起５ａを摺動溝５ｂに導入して、その状態で係合突起５ａを摺動溝５ｂ内で摺動させて所望の係合用深部５ｂ１の位置まで移動させるが、はじめに係合突起５ａが摺動溝５ｂに入った位置（例えば、上側の土木用ブロックが７３°の積み重ね角度αで積み重なる位置）と、所望の係合用深部５ｂ１（例えば、例えば上側の土木用ブロックが６３°の積み重ね角度αで積み重なる係合用深部５ｂ１）の間に、中間の係合用深部（例えば、例えば上側の土木用ブロックが７０°の積み重ね角度αで積み重なる係合用深部５ｂ１）があった場合、摺動溝５ｂ内で係合突起５ａを摺動させれば、係合突起５ａは中間の係合用深部５ｂ１と係合してしまうため、所望の係合用深部５ｂ１と係合させるには、係合突起５ａと中間の係合用深部５ｂ１との係合を解く必要が生じ、積載作業が困難になる場合がある。
そこで、図６に示したように、枝溝５ｂ２に分岐された摺動溝５ｂを用い、係合用深部５ｂ１はこの枝溝５ｂ２に設けるようにすれば、所望の係合用深部５ｂ１まで係合突起５ａに摺動溝５ｂを摺動させる際に、中間の係合用深部５ｂ１と係合突起５ａが係合する心配がないので、作業性が向上する。この場合、枝溝５ｂ２の係合用深部５ｂ１に係合した状態で、所定の積層状態（例えば、積層幅が高さ方向に面一に揃える）となるように、予め設計しておくのが好ましい。
【００２７】
本発明では、図７及び図８に示すように、天板部２及び底板部３に貫通孔６を穿設し、この貫通孔６にボルト、ビス等を挿通して、上下に積み重ねた土木用ブロック１を固定することもできる。なお、ボルト、ビス等で上下に積み重ねた土木用ブロック１を固定する際には、天板部２及び底板部３に穿設した貫通孔６は連通している必要があるが、係合突起５ａと係合用深部５ｂ１が係合したときに連通するような位置に当該貫通孔６を穿設しておけば、現場で貫通孔を穿設したり、予め穿設した貫通孔６を連通させるために土木用ブロック１の積載位置を微調整する手間が省けるため、作業性が向上する。
【００２８】
貫通孔６の位置については、係合突起５ａと係合用深部５ｂ１が係合したときに連通するような位置である限り特に限定されない。例えば、最も単純には、貫通孔６を係合突起５ａ及び係合用深部５ｂ１の近傍にそれぞれ１個づつ設ければよいが、もっと離れた位置、例えば天板部２及び／又は底板部３の中央付近に貫通孔６を設けてもよく、あるいは、図７及び図８に示すように、土木用ブロック１が積み重なる角度によって連通する貫通孔の数が変わる（例えば７０°で積み重なるときに連通する貫通孔６の数は２個、６３°で積み重なるときに連通する貫通孔６の数が４個、５６°で積み重なるときに連通する貫通孔６の数が６個）ように貫通孔を設けることもできる。
また、係合用深部５ｂ１を複数設ける場合では、全ての係合用深部５ｂ１に対応する貫通孔６を設ける必要もなく（図７に示した例では、最も前側にある係合用深部５ｂ１と係合突起５ａが係合したときに連通する貫通孔６はない）、いずれかの係合用深部５ｂ１と係合突起５ａが係合したときに貫通孔６が連通すれば足りる。
【００２９】
以上、係合突起５ａが半球状等の如く前後方向に短い場合について説明したが、例えば図９〜図１１に示すように、係合突起５ａが前後方向に長い突条である場合も、作業性に優れた土木用ブロック１が提供される。係合突起５ａが前後方向に長い突条である場合、係合用深部５ｂ１を設けることできないが、係合用深部５ｂ１を設ける場合と異なり、前後方向に無段階に摺動させることができるので、斜面（法面）の角度に自在に対応でき、且つ、摺動中も上側に積載した土木用ブロック１が安定しているので、作業性も良好である。
なお、図９〜図１１に示す例では天板部２側に摺動溝５ｂを設け、底板部３側に係合突起５ａを設けているが、これに限定されず、天板部２側に係合突起５ａを設け、底板部３側に摺動溝５ｂを設けてもよい。また、所定の位置に積載されたときに連通する貫通孔６を天板部２及び底板部３に設ければ、貫通孔６が連通する位置で上側の土木用ブロック１を下側の土木用ブロック１と固定することにより、所定の積み重ね角度αで土木用ブロック１を積み上げることができる。
本発明の土木用ブロックは、通常、コンクリートからなり、必要に応じ、軽量発泡コンクリート等も使用可能である。
【００３０】
本発明においては、土木用ブロック１の内部、即ち、天板部２と底板部３と支持部４により囲まれる空間に任意の機能を有する構造体を配置することができる。特に、本発明の土木用ブロック１により形成される擁壁は、太陽光線を効率よく吸収できる斜面（法面）に適用されるので、土木用ブロック１の内部の空間に太陽電池パネルＰを収容すれば、効率よく太陽光発電を行うことができる。
本発明における太陽電池パネルＰの形状、大きさについては特に限定されないが、太陽光を有効に活用するため、土木用ブロック１の内部に収まる範囲で可能な限り大きいほうが好ましく、通常は開口部と略同じ形状、大きさ（例えば、一辺が１〜２ｍ程度）とされる。
太陽電池パネルＰの種類については、太陽光を受けて起電力を得ることができるパネルであれば特に限定されない。
【００３１】
太陽電池パネルＰの固定手段Ｐ１については、太陽電池パネルＰを土木用ブロック１の内部の任意の位置に固定可能であれば特に制限されないが、太陽光を有効に活用するために、図１２に示すように、傾斜して固定するのが好ましく、更には、太陽電池パネルＰを太陽の動きに追随させ、太陽光を効率的に利用できるように、或いはメンテナンス等のために、図１３に示すように左右に傾斜角度を調整可能に設けたり、図１４に示すように上下に傾斜角度を調整可能に設けるのが好ましい。
傾斜させる角度は特に限定されないが、５〜３０度程度が好ましい。傾斜可能に取り付ける手段としては、特に制限されず、例えば、軸と軸受、伸縮可能なアーム、ヒンジ等が例示される。図１４では、太陽電池パネルＰがヒンジにより上下方向に傾斜角度を調整可能に収容されている。
【００３２】
本発明の土木用ブロックは、図１５、図１６に示すように、傾斜（法面）の角度に合わせて上下土木用ブロックを摺動させて積み重ねられる。摺動の程度を変えることにより、図１５、図１６に示すように積み重ね角度αを総意自在に変えることができる。本発明の土木用ブロックは、勿論、垂直面でも使用可能であり、この場合、太陽電池パネルＰを傾斜して収容できるので、太陽光の利用効率は良好である。
尚、図１５、図１６において、通常、又は、必要に応じて用いられる、上下を連結固定するためのボルトや連結プレート、土木用ブロック裏面に取り付けられる連結ブラケット及びこれに連結され土中に埋設される樹脂製の網状物や金網からなる補強材、土木用ブロックの最下部に配される根石ブロック等は省略してある。
【産業上の利用可能性】
【００３３】
本発明の土木用ブロックは、天板部と底板部に係合構造が設けられ、係合構造は係合突起と摺動溝からなるので、係合突起を摺動溝に挿入するとともに、適当な位置まで上側の土木用ブロックを容易に摺動させることができるので、立体的形状で嵩張り、且つ重量の大きい土木用ブロックの積み上げに不慣れな通常の作業員にも容易且つ正確に所望の積み重ね角度に積層することができ、また、土木用ブロック内部に太陽電池パネル等の構造体を収容することができ、擁壁を構築するための土木用ブロックとして頗る有用である。
【符号の説明】
【００３４】
１  土木用ブロック
２  天板部
３  底板部
４  支持部
５  係合構造
５ａ  係合突起
５ｂ  摺動溝
５ｂ１  係合用深部
５ｂ２  枝溝
６  貫通孔
Ｐ  太陽電池パネル
Ｐ１  固定手段
Ｐ２  固定手段（ヒンジ）
【図１】
2013104190.tif 000003
【図２】
2013104190.tif 000004
【図３】
2013104190.tif 000005
【図４】
2013104190.tif 000006
【図５】
2013104190.tif 000007
【図６】
2013104190.tif 000008
【図７】
2013104190.tif 000009
【図８】
2013104190.tif 000010
【図９】
2013104190.tif 000011
【図１０】
2013104190.tif 000012
【図１１】
2013104190.tif 000013
【図１２】
2013104190.tif 000014
【図１３】
2013104190.tif 000015
【図１４】
2013104190.tif 000016
【図１５】
2013104190.tif 000017
【図１６】
2013104190.tif 000018